(57)【要約】【課題】防犯効果を高めることができるようにする。【解決手段】本発明に係る情報処理装置に適用可能な携帯電話機１においては、防犯用報知音発生部５０は、防犯用報知音を発生する発生し、記憶部４７は、発信先リストを記憶し、主制御部３１は、記憶されている発信先リストに登録されている複数の発信先の中から、予め設定された優先度に基づいて、発信先を決定し、変復調回路部３９、送受信回路部４３、およびアンテナ４４を制御し、決定された発信先の他の情報処理装置に接続し、接続された発信先の他の情報処理装置に発信する。【選択図】  図４
2008172454.tif 000002
【特許請求の範囲】
【請求項１】
所定の操作がなされると、報知音を発生する発生手段と、
発信先リストを記憶する記憶手段と、
前記所定の操作がなされた場合、前記記憶手段により記憶されている前記発信先リストに登録されている複数の前記発信先の中から、予め設定された優先度に基づいて、発信先を決定する決定手段と、
前記決定手段により決定された前記発信先に発信する発信手段を備えることを特徴とする情報処理装置。
【請求項２】
前記発信手段によって前記発信先に発信した後、前記発信手段による前記発信先への接続が確立されなかった場合、前記決定手段は、前記発信先リストの中から、予め設定された優先度に基づいて、新たな発信先を決定することを特徴とする請求項１に記載の情報処理装置。
【請求項３】
前記発信手段は、前記接続手段により接続された前記発信先に、予め設定されたメッセージを発信することを特徴とする請求項１に記載の情報処理装置。
【請求項４】
所定の操作がなされると、報知音を発生する発生手段と、
予め記憶されている送信メールテキスト情報に基づいて、メールを作成する作成手段と、
前記作成手段により作成された前記メールを、予め設定された送信先に送信する送信手段と、
前記発生手段による前記報知音の発生が停止されているか否かを判定する判定手段と、
前記判定手段により前記報知音の発生が停止されていると判定された場合、前記送信手段による前記メールを送信する送信処理を、予め設定された所定の送信間隔ごとに繰り返し実行するように制御する制御手段とを備えることを特徴とする情報処理装置。
【請求項５】
所定の操作がなされると、報知音を発生する発生手段と、
情報処理装置の位置に関する情報である位置情報を取得する取得手段と、
前記取得手段により取得された前記位置情報を用いて、メールを作成する作成手段と、
前記作成手段により作成された前記メールを送信する送信手段と、
前記送信手段による前記メールを送信する送信処理を終了するための条件である終了条件になったか否かを判定する判定手段と、
前記判定手段により前記終了条件になっていないと判定された場合、前記送信手段による前記メールを送信する送信処理を、予め設定された所定の送信間隔ごとに繰り返し実行するように制御する制御手段とを備えることを特徴とする情報処理装置。
【請求項６】
報知音を発生する発生手段と、
情報処理装置の位置に関する情報である位置情報を取得する取得手段と、
前記取得手段により取得された前記位置情報を用いて、他の情報処理装置に発信する発信手段と、
前記発信手段による前記他の情報処理装置への発信処理を終了するための条件である終了条件になったか否かを判定する判定手段と、
前記判定手段により前記終了条件になっていないと判定された場合、前記発信手段による前記他の情報処理装置への発信処理を、予め設定された所定の発信間隔ごとに繰り返し実行するように制御する制御手段とを備えることを特徴とする情報処理装置。
【発明の詳細な説明】
【技術分野】
【０００１】
本発明は情報処理装置に係り、特に、防犯機能を搭載した情報処理装置に関する。
【背景技術】
【０００２】
近年、子供などを狙った略取誘拐などの犯罪が増加しており、子供をこれらの犯罪から未然に守るために、例えば子供向け携帯などの種々の防犯機能が搭載された携帯電話機が提案されている（例えば特許文献１参照）。
【０００３】
特許文献１に提案されている技術によれば、音声などを特定する録音ボタンを操作することなく自動的に連続して音声と位置などを関連付けて記録することができ、ユーザの指示に基づいて、これらの音声などに関する情報を遠隔地の記憶装置に送信することができる。
【０００４】
また、ユーザが特定の操作キーやスイッチを操作するなどにより、緊急・非常事態発生時に、防犯用報知音（すなわち、防犯ブザー）を鳴動させたり、発光素子（ＬＥＤ：Light Emitting Diode）を発光させるとともに、予め設定された所定の送信先にメールを送信したり、予め設定された所定の発信先に発信したりする技術も提案されている。
【特許文献１】特開２００３−２４９９８１号公報
【発明の開示】
【発明が解決しようとする課題】
【０００５】
しかしながら、従来の技術では、緊急・非常事態発生時に、防犯用報知音（すなわち、防犯ブザー）を鳴動させたり、発光素子を発光させるとともに、予め設定された所定の送信先にメールを送信したり、予め設定された所定の発信先に発信したりすることはできるが、メールの送信などは１つの送信先に対して単に１回しか送信することしかできず、防犯機能としては脆弱であるという課題があった。
【０００６】
このような課題は、特許文献１に提案されている技術では、解決することはできない。
【０００７】
本発明は、このような状況に鑑みてなされたものであり、防犯効果を高めることができる情報処理装置を提供することを目的とする。
【課題を解決するための手段】
【０００８】
本発明の情報処理装置は、上述した課題を解決するために、所定の操作がなされると、報知音を発生する発生手段と、所定の操作がなされた場合、発信先リストを記憶する記憶手段と、記憶手段により記憶されている発信先リストに登録されている複数の発信先の中から、予め設定された優先度に基づいて、発信先を決定する決定手段と、決定手段により決定された発信先に発信する発信手段を備えることを特徴とする。
【０００９】
本発明の情報処理装置は、上述した課題を解決するために、所定の操作がなされると、報知音を発生する発生手段と、予め記憶されている送信メールテキスト情報に基づいて、メールを作成する作成手段と、作成手段により作成されたメールを、予め設定された送信先に送信する送信手段と、発生手段による報知音の発生が停止されているか否かを判定する判定手段と、判定手段により報知音の発生が停止されていると判定された場合、送信手段によるメールを送信する送信処理を、予め設定された所定の送信間隔ごとに繰り返し実行するように制御する制御手段とを備えることを特徴とする。
【００１０】
本発明の情報処理装置は、上述した課題を解決するために、所定の操作がなされると、報知音を発生する発生手段と、情報処理装置の位置に関する情報である位置情報を取得する取得手段と、取得手段により取得された位置情報を用いて、メールを作成する作成手段と、作成手段により作成されたメールを送信する送信手段と、送信手段によるメールを送信する送信処理を終了するための条件である終了条件になったか否かを判定する判定手段と、判定手段により終了条件になっていないと判定された場合、送信手段によるメールを送信する送信処理を、予め設定された所定の送信間隔ごとに繰り返し実行するように制御する制御手段とを備えることを特徴とする。
【００１１】
本発明の情報処理装置は、上述した課題を解決するために、報知音を発生する発生手段と、情報処理装置の位置に関する情報である位置情報を取得する取得手段と、取得手段により取得された位置情報を用いて、他の情報処理装置に発信する発信手段と、発信手段による他の情報処理装置への発信処理を終了するための条件である終了条件になったか否かを判定する判定手段と、判定手段により終了条件になっていないと判定された場合、発信手段による他の情報処理装置への発信処理を、予め設定された所定の発信間隔ごとに繰り返し実行するように制御する制御手段とを備えることを特徴とする。
【００１２】
本発明の情報処理装置においては、所定の操作がなされると、報知音が発生され、所定の操作がなされた場合、発信先リストが記憶され、記憶されている発信先リストに登録されている複数の発信先の中から、予め設定された優先度に基づいて、発信先が決定され、決定された発信先に発信される。
【００１３】
本発明の情報処理装置においては、所定の操作がなされると、報知音が発生され、予め記憶されている送信メールテキスト情報に基づいて、メールが作成され、作成されたメールが予め設定された送信先に送信され、報知音の発生が停止されているか否かが判定され、報知音の発生が停止されていると判定された場合、メールを送信する送信処理が、予め設定された所定の送信間隔ごとに繰り返し実行されるように制御される。
【００１４】
本発明の情報処理装置においては、所定の操作がなされると、報知音が発生され、情報処理装置の位置に関する情報である位置情報が取得され、取得された位置情報を用いて、メールが作成され、作成されたメールが送信され、メールを送信する送信処理を終了するための条件である終了条件になったか否かが判定され、終了条件になっていないと判定された場合、メールを送信する送信処理が、予め設定された所定の送信間隔ごとに繰り返し実行されるように制御される。
【００１５】
本発明の情報処理装置においては、報知音を発生する発生手段と、情報処理装置の位置に関する情報である位置情報が取得され、取得された位置情報を用いて、他の情報処理装置に発信され、他の情報処理装置への発信処理を終了するための条件である終了条件になったか否かが判定され、終了条件になっていないと判定された場合、他の情報処理装置への発信処理が、予め設定された所定の発信間隔ごとに繰り返し実行されるように制御される。
【発明の効果】
【００１６】
本発明によれば、防犯効果を高めることができる。
【発明を実施するための最良の形態】
【００１７】
以下、本発明の実施の形態について、図面を参照しながら説明する。
【００１８】
［第１実施形態］
図１は、本発明に係る情報処理装置として適用可能な携帯電話機１の外観の構成を表している。なお、図１［Ａ］は、携帯電話機１を約１８０度に見開いたときの正面から見た外観の構成を表しており、図２［Ｂ］は、携帯電話機１を見開いたときの側面から見た外観の構成を表している。
【００１９】
図１［Ａ］および［Ｂ］に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図４のアンテナ４４）が設けられており、内蔵されたアンテナを介して基地局（図示せず）との間で電波を送受信する。
【００２０】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００２１】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２２】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２３】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００２４】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２５】
なお、第１の筐体１２は、背面側に図示しないバッテリパックが挿着されており、終話・電源キーがオン状態になると、バッテリパックから各回路部に対して電力が供給されて動作可能な状態に起動する。
【００２６】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図４のメモリカード４６）に記憶されているコンテンツを表示することができる。
【００２７】
また、液晶ディスプレイ１７の上部の所定の位置にはスピーカ１８が設けられており、これにより、ユーザは音声通話することが可能である。
【００２８】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２［Ａ］は、携帯電話機１を閉じたときの正面から見た外観の構成を表しており、図２［Ｂ］は、携帯電話機１を閉じたときの側面から見た外観の構成を表している。
【００２９】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００３０】
サブディスプレイ２１の下部には、さらに、防犯用ライトとしての発光素子（ＬＥＤ：Light Emitting Diode）２３が設けられている。この発光素子２３は、緊急・非常事態発生時に、ユーザの所定の操作により、所定の周期で発光する。
【００３１】
図３は、本発明に係る情報処理装置として適用可能な携帯電話機１の他の外観の構成を表している。図３の携帯電話機１の状態は、図１の携帯電話機１の状態から矢印Ｘ方向に回動させた状態であり、図３［Ａ］および［Ｂ］は、携帯電話機１を閉じたときの背面から見た外観の構成を表している。
【００３２】
図３［Ａ］に示されるように、第１筐体１２の所定の位置には、緊急・非常事態発生時に、防犯用報知音発生部（図４の防犯用報知音発生部５０）により防犯用報知音（すなわち、防犯ブザー）の発生など（発光素子２３などにより防犯用報知ライトの点滅を含む）を開始させるための緊急用スイッチ２２が上下方向に着脱可能に設けられている。
【００３３】
例えば緊急・非常事態発生時に防犯用報知音発生部により防犯用報知音の発生などを開始させる場合、ユーザは、この緊急用スイッチ２２を矢印Ｘ方向にスライドさせて引き下げられることで、緊急・非常事態発生時に、防犯用報知音発生部により防犯用報知音の発生などを開始させることができる。なお、図３［Ｂ］に示されるように、この緊急用スイッチ２２は、ユーザにより矢印Ｙ方向にスライドされて引き上げられることで、第２の筐体１３に装着されて元の位置に戻る。
【００３４】
勿論、このような着脱形式の緊急用スイッチ２２以外にも、ストラップを引き抜くことにより防犯用報知音発生部により防犯用報知音（すなわち、防犯ブザー）の発生などを開始させるストラップ形式の緊急用スイッチ２２を用いるようにしてもよいし、その他のスライド形式の緊急用スイッチ２２などを用いるようにしてもよい。
【００３５】
図４は、本発明の第１実施形態に係る情報処理装置として適用可能な携帯電話機１の内部の構成を表している。
【００３６】
図４に示されるように、携帯電話機１は、第１の筐体１２及び第２の筐体１３の各部を統括的に制御する主制御部３１に対して、発光素子２３、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、ＧＰＳ受信部４９、および防犯用報知音発生部５０がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３７】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３８】
なお、主制御部３１には、現在の日付と時刻を正確に計測するタイマが内蔵されている。
【００３９】
携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００４０】
また、携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４１】
さらに、携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００４２】
これに対して携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００４３】
その後携帯電話機１は、ユーザの操作に応じて受信した電子メールを記録再生部４５を介してメモリカード４６に記録することも可能である。
【００４４】
携帯電話機１は、画像信号を送信しない場合には、ＣＣＤカメラ２０で撮像した画像信号をカメラインタフェース部３５及びＬＣＤ制御部３６を介して液晶ディスプレイ１７に直接表示する。
【００４５】
携帯電話機１は、データ通信モード時に画像信号を送信する場合、ＣＣＤカメラ２０で撮像された画像信号をカメラインタフェース部３５を介して画像エンコーダ３４に供給する。
【００４６】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機１は、ＣＣＤカメラ２０で撮像中にマイクロフォン１５で集音した音声を音声コーデック４０を介してディジタルの音声信号として多重分離部３８に送出する。
【００４７】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４８】
これに対して、携帯電話機１では、データ通信モード時に、Ｗｅｂページのデータを受信することができる。
【００４９】
すなわち、携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００５０】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５１】
また、携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００５２】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００５３】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機１は、受信したＷｅｂページなどにリンクされたデータをユーザの操作により記録再生部４５を介してメモリカード４６に記録することが可能である。
【００５４】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５５】
ＧＰＳ受信部４９は、図示せぬＧＰＳ衛星からのＧＰＳ波（ＧＰＳ情報）を受信する。このＧＰＳ情報には、例えばそれぞれのＧＰＳ衛星からの発信時刻情報が含まれている。その後、主制御部３１においては、取得されたＧＰＳ情報を用いて、携帯電話機１の現在地を示す位置情報（緯度経度の情報）が計算され（例えば３つ乃至４つのＧＰＳ情報から計算することが望ましい）、携帯電話機１の現在地を示す位置情報が求められる。なお、このＧＰＳ情報に基づいて求められる位置情報として、緯度経度を取得することが一般的であるが、更に緯度経度に対応した住所情報を取得するようにしてもよい。緯度経度や、緯度経度に対応した住所情報を取得する際には、外部のサーバ（図示せず）などにアクセスして住所情報を得るようにしてもよい。従って、「位置情報」とはＧＰＳ情報から計算された位置情報（例えば緯度経度情報）や、その情報に対応する住所情報などの情報も含むものとする。
【００５６】
防犯用報知音発生部５０は、バックアップ電源部５１から供給される電源を用いて、主制御部３１の制御に従い、緊急・非常事態発生時に、防犯用報知音（すなわち、防犯用ブザー）を発生する。なお、防犯用報知音発生部５０は、この防犯用報知音発生部５０と発光素子２３に接続されるバックアップ電源部５１から供給される電源により、携帯電話機１に内蔵された図示せぬ電池パックが意図的に取り外されたとしても、防犯用報知音と発光を発生し続けることが可能である。
【００５７】
ところで、従来の技術では、緊急・非常事態発生時に、防犯用報知音（すなわち、防犯ブザー）を鳴動させたり、発光素子２３を発光させるとともに、予め設定された所定の送信先にメールを送信したり、予め設定された所定の発信先に発信したりすることはできるが、メールの送信などは１つの送信先に対して単に１回しか送信することしかできず、防犯機能としては脆弱であった。
【００５８】
そこで、従来の技術では、緊急・非常事態発生時に、防犯用報知音発生部５０により防犯用報知音（すなわち、防犯ブザー）を鳴動させたり、発光素子２３を発光させるとともに、予め発信先が登録された発信先リストを用いて、順次、その発信先に発信するようにする。これにより、防犯効果を高めることができる。以下、この方法を用いた図４の携帯電話機１における防犯処理について説明する。
【００５９】
図５のフローチャートを参照して、図４の携帯電話機１における防犯処理について説明する。この防犯処理は、ユーザにより例えば緊急用スイッチ２２や操作キー１４が操作されることにより、防犯処理を開始するとの指示が受け付けられることにより、開始される。
【００６０】
ステップＳ１において、主制御部３１は、ユーザにより例えば緊急用スイッチ２２や操作キー１４が操作されることにより、防犯処理を開始するとの指示が受け付けられたか否かを判定し、ユーザにより例えば緊急用スイッチ２２や操作キー１４が操作されることにより、防犯処理を開始するとの指示が受け付けられると判定するまで待機する。
【００６１】
ステップＳ１においてユーザにより例えば緊急用スイッチ２２や操作キー１４が操作されることにより、防犯処理を開始するとの指示が受け付けられたと判定された場合、主制御部３１はステップＳ２で、防犯用報知音発生部５０を制御し、緊急・非常事態発生時における防犯用報知音を発生させる。防犯用報知音発生部５０は、主制御部３１の制御に従い、緊急・非常事態発生時における防犯用報知音を発生する。
【００６２】
ステップＳ３において、主制御部３１は、発光素子２３を制御し、緊急・非常事態発生時における防犯用ライトとしての発光素子２３を、所定の周期で発光させる。発光素子２３は、主制御部３１の制御に従い、緊急・非常事態発生時における防犯用ライトとしての発光素子２３を、所定の周期で発光する。
【００６３】
なお、ステップＳ２とステップＳ３の処理は、順番を入れ替えるようにしてもよいし、同時に並列的に処理を実行するようにしてもよい。
【００６４】
ステップＳ４において、主制御部３１は、記憶部４７に記憶されている、予め緊急・非常事態発生時に発信する発信先が登録されている発信先リストを読み出す。
【００６５】
例えば図６に示されるような発信先リストが読み出される。図６の例の場合、発信先として「０９０−××××−△△△△」、「０９０−××××−○○○○」、「０９０−△△△△−××××」…が登録されている。また、これらの発信先には、予め、緊急・非常事態発生時に発信する優先度が対応付けられて登録されている。例えば「０９０−××××−△△△△」の発信先には、優先度として「１」が予め対応付けられて登録されている。
【００６６】
なお、記憶部４７に記憶されている発信先リストに登録されている発信先については、ユーザの好みなどに応じて適宜、追加、更新、および削除などを実行することができる。
【００６７】
ステップＳ５において、主制御部３１は、読み出された発信先リスト（予め緊急・非常事態発生時に発信する発信先が登録されている発信先リスト）を参照して、この発信先リストに発信先が少なくとも１つ以上存在するか否かを判定する。
【００６８】
例えば発信先リストに、予め少なくとも１つ以上の緊急・非常事態発生時に発信する発信先が登録されていない場合には、この発信先リストに発信先が少なくとも１つ以上存在しないと判定される。
【００６９】
ステップＳ５においてこの発信先リストに発信先が少なくとも１つ以上存在すると判定された場合、主制御部３１はステップＳ６で、読み出された発信先リスト（予め緊急・非常事態発生時に発信する発信先が登録されている発信先リスト）の中から、その優先度に基づいて、緊急・非常事態発生時に発信する発信先を決定する。
【００７０】
例えば図６の場合、優先度「１」の発信先は「０９０−××××−△△△△」であることから、まず、緊急・非常事態発生時に発信する発信先は「０９０−××××−△△△△」に決定される。
【００７１】
ステップＳ７において、主制御部３１は、変復調回路部３９、送受信回路部４３、アンテナ４４、および図示せぬ基地局を介して、決定された発信先（例えば他の携帯電話機１や固定電話機など）への接続を開始する。
【００７２】
ステップＳ８において、主制御部３１は、変復調回路部３９、送受信回路部４３、アンテナ４４、および図示せぬ基地局を介して、決定された発信先との接続が確立されたか否かを判定する。
【００７３】
すなわち、決定された発信先への接続処理を行った場合に、発信先からの応答が「通話中」や「呼び出し中」のままで通話状態とならないときがあり（勿論、発信先の電話番号が存在しないときも含まれる）、このような場合には、決定された発信先との接続が確立されていないと判定される。
【００７４】
ステップＳ８において決定された発信先との接続が確立されていないと判定された場合、主制御部３１はステップＳ９で、内蔵されたタイマを用いて、予め設定された所定の時間（例えば２０秒間など）が経過したか否かを判定し、予め設定された所定の時間（例えば２０秒間など）が経過したと判定するまで待機する。勿論、予め設定された所定の時間は、事態の緊急性を考慮して、より短く設定するようにしてもよいし、多少長く設定するようにしてもよい。
【００７５】
ステップＳ９において予め設定された所定の時間（例えば２０秒間など）が経過したと判定された場合、主制御部３１はステップＳ１０で、変復調回路部３９、送受信回路部４３、およびアンテナ４４を制御し、決定された発信先への接続を切断する。これにより、決定された発信先への接続処理が一旦切断される。
【００７６】
ステップＳ１１において、主制御部３１は、予め設定された所定の回数（例えば２回や３回など）、１つの発信先に対して接続処理が実行されたか否かを判定する。ステップＳ１１において予め設定された所定の回数（例えば２回や３回など）、１つの発信先に対して接続処理が実行されていないと判定された場合、処理はステップＳ７に戻り、ステップＳ７以降の処理が繰り返し実行される。すなわち、決定された発信先への接続処理が、再度、実行される。これにより、予め設定された所定の回数（例えば２回や３回など）だけ、決定された１つの発信先に対して接続処理が実行される。
【００７７】
一方、ステップＳ１１において予め設定された所定の回数（例えば２回や３回など）、１つの発信先に対して接続処理が実行されたと判定された場合、処理はステップＳ６に戻り、ステップＳ６において、発信先リストを参照して、すでに接続処理を実行した発信先以外に発信先の中から、優先度に基づいて新たな発信先が決定される。
【００７８】
例えば図６の例の場合、優先度「１」の発信先である「０９０−××××−△△△△」への接続が確立されなかった場合、次に、発信先として優先度「２」の「０９０−××××−○○○○」が決定される。
【００７９】
一方、ステップＳ８において接続が確立されたと判定された場合、主制御部３１はステップＳ１２で、記憶部４７に予め記憶されている、緊急・非常事態発生時における発信処理においてメッセージを送信するか否かに関する送信設定がＯＮに設定されているか否かを判定する。
【００８０】
なお、緊急・非常事態発生時における発信処理においてメッセージを送信するか否かについては、予め、ユーザの好みに応じて、設定することができる。
【００８１】
ステップＳ１２において記憶部４７に予め記憶されている、緊急・非常事態発生時における発信処理においてメッセージを送信するか否かに関する送信設定がＯＮに設定されていると判定された場合、主制御部３１はステップＳ１３で、記憶部４７に予め記憶されている送信メッセージを読み出し、読み出された送信メッセージを音声コーデック４０にて所定の符号化方式に対応する復号化方式で復号化（伸張）した後、復号化（伸張）した後のディジタル音声信号を、変復調回路部３９、送受信回路部４３、およびアンテナ４４を介して送信する。
【００８２】
例えば送信メッセージとして「緊急事態が発生しました。」などの固定メッセージが発信先へ送信される。なお、このような固定メッセージに限られず、例えばユーザの好みに応じて適宜前もって録音されたメッセージ（例えば「助けて〜」など）を送信するようにしてもよいし、メッセージを送信する際にＧＰＳ受信部４９により図示せぬＧＰＳ衛星から受信されたＧＰＳ情報を用いて求められるＧＰＳ測位に基づく位置情報を用いて、位置情報を変換した音声信号が含まれるメッセージを送信するようにしてもよい。これにより、ユーザの現在地を容易に、かつ、正確に通知することができる。勿論、ＧＰＳ測位に基づく位置情報に代えて基地局（図示せぬ）の位置情報を用いるようにしてもよい。
【００８３】
ステップＳ１４において、主制御部３１は、記憶部４７に予め記憶されている、メッセージ送信後に接続を切断するか否かに関する切断設定がＯＮに設定されているか否かを判定する。
【００８４】
なお、メッセージ送信後に、自動的に接続を切断するか否かについては、予め、ユーザの好みに応じて、設定することができる。
【００８５】
ステップＳ１４において記憶部４７に予め記憶されている、メッセージ送信後に接続を切断するか否かに関する切断設定がＯＮに設定されていると判定された場合、主制御ブ部３１はステップＳ１５で、変復調回路部３９、送受信回路部４３、およびアンテナ４４を制御し、メッセージ送信された後に発信先への接続を切断する。これにより、メッセージ送信された後、発信先への接続処理が一旦切断される。
【００８６】
その後、処理はステップＳ６に戻り、ステップＳ６以降の処理が繰り返し実行される。すなわち、ステップＳ６において、発信先リストを参照して、すでに接続処理を実行した発信先以外に発信先の中から、優先度に基づいて新たな発信先が決定される。
【００８７】
ステップＳ１４において記憶部４７に予め記憶されている、メッセージ送信後に接続を切断するか否かに関する切断設定がＯＮに設定されていないと判定された場合、主制御部３１はステップＳ１６で、変復調回路部３９、送受信回路部４３、およびアンテナ４４を制御し、発信先への接続を維持し、ユーザが発信先の人と通話することが可能な通話状態にする。
【００８８】
なお、ステップＳ１２において記憶部４７に予め記憶されている、緊急・非常事態発生時における発信処理においてメッセージを送信するか否かに関する送信設定がＯＮに設定されていないと判定された場合、ステップＳ１３乃至Ｓ１４の処理はスキップされる。
【００８９】
ステップＳ１７において、主制御部３１は、変復調回路部３９、送受信回路部４３、およびアンテナ４４を介して、接続されている発信先から接続の切断がなされたか、あるいは、ユーザにより操作キー１４が操作されることにより、接続されている発信先への接続を切断するとの指示が受け付けられて接続が切断されたか否かを判定し、接続が切断されたと判定するまで待機する。
【００９０】
ステップＳ１７において接続が切断されたと判定された場合、主制御部３１はステップＳ１８で、読み出された発信先リストを参照して、すべての発信先に接続処理を行ったか否かを判定する。ステップＳ１８においてすべての発信先に接続処理を行っていないと判定された場合、処理はステップＳ６に戻り、ステップＳ６以降の処理が繰り返し実行される。これにより、発信先リストに予め登録されているすべての発信先に対して接続処理が実行される。
【００９１】
一方、ステップＳ１８においてすべての発信先に接続処理を行ったと判定された場合、主制御部３１はステップＳ１９で、防犯用報知音発生部５０を制御し、緊急・非常事態発生時における防犯用報知音の発生を停止させる。防犯用報知音発生部５０は、主制御部３１の制御に従い、緊急・非常事態発生時における防犯用報知音の発生を停止する。
【００９２】
なお、本発明の実施形態においては、すべての発信先に接続処理を行った後、直ちに緊急・非常事態発生時における防犯用報知音の発生を停止するようにしたが、このような場合に限られず、例えばユーザにより緊急用スイッチ２２や操作キー１４が操作されることにより防犯処理を終了するとの指示がなされるまで、緊急・非常事態発生時における防犯用報知音の発生を停止しないようにして、緊急・非常事態発生時における防犯用報知音の発生し続けるようにしてもよい。
【００９３】
ステップＳ２０において、主制御部３１は、発光素子２３を制御し、緊急・非常事態発生時における防犯用ライトとしての発光素子２３の発光を停止させる。発光素子２３は、主制御部３１の制御に従い、緊急・非常事態発生時における防犯用ライトとしての発光素子２３の発光を停止する。
【００９４】
その後、防犯処理は終了する。
【００９５】
一方、ステップＳ５において発信先リストに発信先が存在しないと判定された場合、ステップＳ６乃至Ｓ１８の処理はスキップされる。これにより、発信先への接続処理は実行されない。
【００９６】
図５のフローチャートを参照して説明した防犯処理においては、記憶部４７に予め記憶されている発信先リストを読み出し、読み出された発信先リストの中から、優先度に基づいて発信先を決定するとともに、決定された発信先への接続を開始することができる。このとき、決定された発信先への接続が確立されなかった場合には、予め設定された所定回数、接続処理を繰り返して実行することができる。
【００９７】
決定された発信先への接続が確立された場合、発信先へメッセージを送信するか否かに関する送信設定がＯＮに設定されているときには、メッセージを発信先へ送信し、その後、接続を自動的に切断したり、そのまま通話状態にすることができる。一方、発信先へメッセージを送信するか否かに関する送信設定がＯＮに設定されていないときには、メッセージは発信先へ送信されず、そのまま通話状態にすることができる。
【００９８】
また、メッセージ送信後に、自動的に接続を切断するか否かを設定することができる。
【００９９】
その後、発信先リストに予め登録されたすべての発信先に同様の接続処理を実行することができる。
【０１００】
これにより、緊急・非常事態発生時に、予め登録されている複数の発信先に発信処理を順次行うことができ、ユーザは、例えば緊急スイッチ２４などを操作することにより、防犯処理を開始するとの指示を１度行うだけで予め登録した複数の発信先へ発信処理を行わせることができる。その結果、携帯電話機１での防犯処理における利便性を向上させることができる。また、緊急・非常事態発生時に、予め登録されている発信先のうちの１つがそのとき偶然にも通話中や留守であったために応答できないときなどに、その他の複数の発信先に順次発信処理を行うことができ、緊急・非常事態が発生しているという旨を通知することができない可能性を低減することができ、発信先の状況に影響を受けることなく、ユーザに生じている緊急・非常事態を例えば親や友人などに確実に通知することができる。
【０１０１】
従って、防犯効果を高めることができる。
【０１０２】
なお、図５のフローチャートを参照して説明した防犯処理においては、携帯電話機１におけるメールの送受信機能を同時に用いるようにしてもよい。
【０１０３】
なお、図５のフローチャートを用いて説明した防犯処理においては、予め設定された所定の回数接続処理は行われたにもかかわらず、接続が確立されなかった発信先については、再度接続処理を行わないようにしているが、このような場合に限られず、例えば接続が確立されなかった発信先については後回しにした上で、後ほど、接続が確立されるまで再度接続処理を繰り返し行うようにしてもよい。以下、この方法を用いた図４の携帯電話機１における他の防犯処理について説明する。
【０１０４】
図７のフローチャートを参照して、図４の携帯電話機１における他の防犯処理について説明する。なお、図７のステップＳ３１乃至Ｓ４１、およびＳ４４乃至Ｓ５２の処理は、図５のステップＳ１乃至Ｓ２０の処理と同様であり、その説明は繰り返しになるので省略する。
【０１０５】
ステップＳ４１において予め設定された所定の回数（例えば２回や３回など）、１つの発信先に対して接続処理が実行されたと判定された場合、主制御部３１はステップＳ４２で、読み出された発信先リストを用いて、接続が確立されなかった発信先の優先度を最下位の優先度に設定する。
【０１０６】
例えば図８［Ａ］の場合に、現在発信先として「０９０−××××−△△△△」が決定されているが、この発信先への接続処理が確立されなかったときには、図８［Ｂ］に示されるように、この発信先（「０９０−××××−△△△△」）の優先度が「１」から「ｎ」（すなわち、最下位の優先度）に設定されて更新される。
【０１０７】
その後、処理はステップＳ３６に戻り、ステップＳ３６以降の処理が繰り返し実行される。
【０１０８】
一方、ステップＳ３８において決定された発信先との接続が確立されたと判定された場合、主制御部３１はステップＳ４３で、例えば主制御部３１内のＲＡＭにおいて、接続が確立された発信先に関し、接続がすでに確立された状態であることを示すフラグ（状態フラグ）をＯＮにし（フラグを立て）、接続が確立された発信先に関し、接続がすでに確立された状態であることを、主制御部３１内のＲＡＭにロードされている発信先リストに対応付けて一時的に例えばＲＡＭの図示せぬレジスタなどに記憶させる。
【０１０９】
例えば図８［Ａ］の場合、発信先「０９０−××××−△△△△」への接続処理が確立されると、図８［Ｃ］に示されるようにフラグ（接続がすでに確立された状態であることを示すフラグ）が「０」から「１」に遷移する。
【０１１０】
その後、処理はステップＳ４４に進み、ステップＳ４４以降の処理が繰り返し実行される。
【０１１１】
これにより、接続がたまたま確立がされなかった発信先に対しても、接続が確立されるまで再度接続処理を繰り返し行うことができる。従って、優先度が高い発信先などに発信処理を行う場合において、接続がたまたま確立されない状況が生じたとしても、発信処理を再度時間をおいて繰り返し実行することで、優先度の高い発信先などに確実に接続し、緊急・非常事態である旨を優先度の高い人（例えば親など）に確実に通知することができる。その結果、防犯効果をより高めることができる。
【０１１２】
次に、図９のフローチャートを参照して、図４の携帯電話機１における送信メッセージ設定処理について説明する。この送信メッセージ設定処理は、ユーザにより操作キー１４が操作されることにより送信メッセージ設定処理を開始するとの指示が受け付けられることにより、開始される。
【０１１３】
ステップＳ６１において、主制御部３１は、ユーザにより操作キー１４が操作されることにより送信メッセージ設定処理を開始するとの指示が受け付けられたか否かを判定し、ユーザにより操作キー１４が操作されることにより送信メッセージ設定処理を開始するとの指示が受け付けられたと判定するまで待機する。
【０１１４】
ステップＳ６１においてユーザにより操作キー１４が操作されることにより送信メッセージ設定処理を開始するとの指示が受け付けられたと判定された場合、主制御部３１はステップＳ６２で、ＬＣＤ制御部３６を制御し、送信メッセージ設定画面を液晶ディスプレイ１７に表示させる。液晶ディスプレイ１７は、ＬＣＤ制御部３６の制御に従い、送信メッセージ設定画面を表示する。
【０１１５】
ステップＳ６３において、主制御部３１は、ユーザにより操作キー１４が操作されることにより、送信メッセージ設定画面上において固定メッセージ（予め固定されたメッセージ）の選択が受け付けられたか否かを判定する。
【０１１６】
ステップＳ６３において送信メッセージ設定画面上において固定メッセージの選択が受け付けられたと判定された場合、主制御部３１はステップＳ６４で、送信メッセージを固定メッセージに設定し、設定された固定メッセージに関する設定データを記憶部４７に記憶させる。
【０１１７】
その後、送信メッセージ設定処理を終了する。
【０１１８】
ステップＳ６３において送信メッセージ設定画面上において固定メッセージの選択が受け付けられていないと判定された場合、主制御部３１はステップＳ６５で、ユーザにより操作キー１４が操作されることにより、送信メッセージ設定画面上においてユーザメッセージ（ユーザの好みに合わせた設定されるメッセージ）の選択が受け付けられたか否かを判定する。
【０１１９】
ステップＳ６５において送信メッセージ設定画面上においてユーザメッセージ（ユーザの好みに合わせた設定されるメッセージ）の選択が受け付けられたと判定された場合、主制御部３１はステップＳ６６で、マイクロフォン１５を用いてユーザにより発声されるメッセージを録音する。
【０１２０】
具体的には、主制御部３１は、マイクロフォン１５を制御し、マイクロフォン１５に、ユーザにより発声されるメッセージを集音させる。マイクロフォン１５は、主制御部３１の制御に従い、ユーザにより発声されるメッセージを集音する。
【０１２１】
例えばユーザの名前などを含むメッセージを集音する。
【０１２２】
主制御部３１は、音声コーデック４０を制御し、集音されたユーザによるメッセージをディジタル音声信号に変換、圧縮し、圧縮後のディジタル音声信号を記憶部４７に記憶させる。
【０１２３】
ステップＳ６７において、主制御部３１は、送信メッセージをユーザメッセージに設定し、設定されたユーザメッセージに関する設定データを記憶部４７に記憶させる。
【０１２４】
その後、送信メッセージ設定処理を終了する。
【０１２５】
ステップＳ６５において送信メッセージ設定画面上においてユーザメッセージ（ユーザの好みに合わせた設定されるメッセージ）の選択が受け付けられていないと判定された場合、主制御部３１はステップＳ６８で、ユーザにより操作キー１４が操作されることにより、位置情報メッセージの選択が受け付けられたか否かを判定する。
【０１２６】
ステップＳ６８において位置情報メッセージの選択が受け付けられていないと判定された場合、処理はステップＳ６３に戻り、ステップＳ６３以降の処理が繰り返し実行される。
【０１２７】
一方、ステップＳ６８において位置情報メッセージの選択が受け付けられたと判定された場合、送信メッセージを位置情報メッセージに設定し、設定された位置情報メッセージに関する設定データを記憶部４７に記憶させる。なお、位置情報（例えばＧＰＳ測位に基づく位置情報など）を付加することで、よりユーザの現在地を正確に把握することができ、ユーザを捜索するなどの際に用いることができる。
【０１２８】
その後、送信メッセージ設定処理を終了する。
【０１２９】
これにより、ユーザの好みに応じて、発信先に送信するメッセージの内容などを設定することができる。従って、例えば親などにユーザが現在緊急・非常事態に遭遇していることを正確に通知することができる。その結果、防犯効果をより高めることができる。
【０１３０】
なお、固定メッセージやユーザメッセージに位置情報を付加するようにしてもよい。
【０１３１】
ところで、従来から、ユーザが特定の操作キーやスイッチを操作するなどにより、緊急・非常事態発生時に、防犯用報知音（すなわち、防犯ブザー）を鳴動させたり、発光素子２３を発光させるとともに、予め設定された所定の送信先にメールを送信したり、予め設定された所定の発信先に発信したりする技術は提案されていた。しかし、必ずしも、緊急・非常事態発生時において十分にその旨を通知できているとまでにはなされていなかった。
【０１３２】
そこで、緊急・非常事態発生時において、１度メールの送信や通話を行うだけでなく、メールの送信や通話を繰り返し実行するとともに、たとえ防犯用報知音の発生や防犯用ライトの発光が犯罪者などによる何らかの方法により、あるいは、ユーザ自身により、停止された場合などであっても、その後にメールの送信や通話などを繰り返し実行するようにする。これにより、防犯効果をより高めることができる。以下、この方法を用いた図４の携帯電話機１における防犯処理について説明する。
【０１３３】
図１０のフローチャートを参照して、図４の携帯電話機１における他の防犯処理について説明する。この防犯処理は、ユーザにより例えば緊急用スイッチ２２や操作キー１４が操作されることにより、防犯処理を開始するとの指示が受け付けられることにより、開始される。
【０１３４】
なお、図１０のフローチャートを用いて説明する防犯処理においては、説明を簡略化するために、緊急・非常事態発生時おいてメールを送信する場合についてのみ説明するが、通話を行うようにする場合についても基本的には同様であり、その説明は繰り返しになるので省略する。
【０１３５】
ステップＳ７１において、主制御部３１は、ユーザにより例えば緊急用スイッチ２２や操作キー１４が操作されることにより、防犯処理を開始するとの指示が受け付けられたか否かを判定し、ユーザにより例えば緊急用スイッチ２２や操作キー１４が操作されることにより、防犯処理を開始するとの指示が受け付けられると判定するまで待機する。
【０１３６】
ステップＳ７１においてユーザにより例えば緊急用スイッチ２２や操作キー１４が操作されることにより、防犯処理を開始するとの指示が受け付けられたと判定された場合、主制御部３１はステップＳ７２で、防犯用報知音発生部５０を制御し、緊急・非常事態発生時における防犯用報知音を発生させる。防犯用報知音発生部５０は、主制御部３１の制御に従い、緊急・非常事態発生時における防犯用報知音を発生する。
【０１３７】
ステップＳ７３において、主制御部３１は、発光素子２３を制御し、緊急・非常事態発生時における防犯用ライトとしての発光素子２３を、所定の周期で発光させる。発光素子２３は、主制御部３１の制御に従い、緊急・非常事態発生時における防犯用ライトとしての発光素子２３を、所定の周期で発光する。
【０１３８】
なお、ステップＳ７２とステップＳ７３の処理は、順番を入れ替えるようにしてもよいし、同時に並列的に処理を実行するようにしてもよい。
【０１３９】
ステップＳ７４において、主制御部３１は、記憶部４７に予め記憶されているメールの送信先に関する制御情報であるメール送信先制御情報と、送信するメールのテキスト情報である送信メールテキスト情報を読み出す。
【０１４０】
ステップＳ７５において、主制御部３１は、読み出されたメール送信先制御情報と送信メールテキスト情報に基づいて、メールを作成する。なお、このとき、ＧＰＳ受信部４９を起動して、図示せぬＧＰＳ衛星から、ＧＰＳ情報を受信し、受信されたＧＰＳ情報を用いて携帯電話機１の現在地を示すＧＰＳ測位に基づく位置情報を求め、求められたＧＰＳ測位に基づく位置情報をさらに用いてメールを作成するようにしてもよい。
【０１４１】
ステップＳ７６において、主制御部３１は、変復調回路部３９、送受信回路部４３、およびアンテナ４４を介して、予め設定された送信先に、作成されたメールを送信する。
【０１４２】
ステップＳ７７において、主制御部３１は、防犯用報知音発生部５０による防犯用報知音の発生や、防犯用ライトとしての発光素子２３の発光が何らかの方法により、あるいは、ユーザ自身の指示により、停止されたか否かを判定する。
【０１４３】
ステップＳ７７において防犯用報知音発生部５０による防犯用報知音の発生や、防犯用ライトとしての発光素子２３の発光が何らかの方法により、あるいは、ユーザ自身の指示により、停止されていないと判定された場合、主制御部３１はステップＳ７８で、電源回路部３２から供給される電源の残量が予め設定された所定の基準値（例えば３０％など）よりも小さいか否かを判定する。
【０１４４】
ステップＳ７８において電源回路部３２から供給される電源の残量が予め設定された所定の基準値（例えば３０％など）よりも小さいと判定された場合、主制御部３１はステップＳ７９で、メール送信を繰り返す送信間隔（時間）を所定の時間（例えば５分間など）だけ延長する。
【０１４５】
ステップＳ７８において電源回路部３２から供給される電源の残量が予め設定された所定の基準値（例えば３０％など）よりも大きいと判定された場合、ステップＳ７９の処理はスキップされ、メール送信を繰り返す送信間隔（時間）は延長されない。
【０１４６】
ステップＳ８０において、主制御部３１は、内蔵されたタイマを用いて、予め設定された送信間隔（例えば５分間など）が経過したか否かを判定し、予め設定された送信間隔（例えば５分間など）が経過したと判定するまで待機する。なお、ステップＳ７９の処理により送信間隔が延長された場合には、延長後の送信間隔が経過したか否かが判定される。
【０１４７】
ステップＳ８０において予め設定された送信間隔（例えば５分間など）が経過したと判定されたと判定された場合、処理はステップＳ７５に戻り、その後、ステップＳ７５以降の処理が繰り返し実行される。これにより、予め設定された送信間隔ごとに、メールが送信先に順次送信される。
【０１４８】
一方、防犯用報知音発生部５０による防犯用報知音の発生や、防犯用ライトとしての発光素子２３の発光が何らかの方法により、あるいは、ユーザ自身の指示により、停止されたと判定された場合、主制御部３１はステップＳ８１で、防犯用報知音の発生や防犯用ライトとしての発光素子２３の発光の停止後にメール送信を継続するか否かに関するメール送信設定がＯＮに設定されているか否かを判定する。
【０１４９】
このメール送信設定は、ユーザの好みに応じて、予め、設定される。
【０１５０】
ステップＳ８１において防犯用報知音の発生や防犯用ライトとしての発光素子２３の発光の停止後にメール送信を継続するか否かに関するメール送信設定がＯＮに設定されていないと判定された場合（すなわち、防犯用報知音の発生や防犯用ライトとしての発光素子２３の発光の停止後にメール送信を継続するか否かに関するメール送信設定がＯＦＦに設定されたと判定された場合）、防犯処理は終了する。これにより、防犯用報知音の発生や防犯用ライトとしての発光素子２３の発光の停止後にメール送信を継続するか否かに関するメール送信設定がＯＦＦに設定された場合には、防犯用報知音の発生や防犯用ライトとしての発光素子２３の発光の停止後にメーは送信されない。
【０１５１】
ステップＳ８１において防犯用報知音の発生や防犯用ライトとしての発光素子２３の発光の停止後にメール送信を継続するか否かに関するメール送信設定がＯＮに設定されていると判定された場合、主制御部３１はステップＳ８２で、電源回路部３２から供給される電源の残量が予め設定された所定の基準値（例えば３０％など）よりも小さいか否かを判定する。
【０１５２】
ステップＳ８２において電源回路部３２から供給される電源の残量が予め設定された所定の基準値（例えば３０％など）よりも小さいと判定された場合、主制御部３１はステップＳ８３で、メール送信を繰り返す送信間隔（時間）を所定の時間（例えば５分間など）だけ延長する。
【０１５３】
ステップＳ８２において電源回路部３２から供給される電源の残量が予め設定された所定の基準値（例えば３０％など）よりも大きいと判定された場合、ステップＳ８３の処理はスキップされ、メール送信を繰り返す送信間隔（時間）は延長されない。
【０１５４】
ステップＳ８４において、主制御部３１は、内蔵されたタイマを用いて、予め設定された送信間隔（例えば５分間など）が経過したか否かを判定し、予め設定された送信間隔（例えば３分間など）が経過したと判定するまで待機する。なお、ステップＳ８３の処理により送信間隔が延長された場合には、延長後の送信間隔が経過したか否かが判定される。
【０１５５】
ステップＳ８４において予め設定された送信間隔（例えば５分間など）が経過したと判定されたと判定された場合、処理はステップＳ８２に戻り、その後、ステップＳ８２以降の処理が繰り返し実行される。これにより、防犯用報知音の発生や防犯用ライトとしての発光素子２３の発光の停止後においても、予め設定された送信間隔ごとに、メールが送信先に順次送信される。
【０１５６】
なお、この繰り返しのメール送信処理は、例えばユーザにより操作キー１４が操作されることにより終了される。このとき、通知機能（メールの送信や発信）の終了操作において暗証番号の入力受付処理などを実行するようにしてもよい。これにより、犯罪者などに意図的にメール送信などを中止されることを防止することができ、防犯効果をより高めることができる。
【０１５７】
図１０のフローチャートを参照して説明した防犯処理においては、緊急・非常事態発生時に、防犯用報知音（すなわち、防犯ブザー）を鳴動させたり、発光素子２３を発光させるとともに、予め設定された送信間隔（例えば５分間など）ごとに、予め設定された所定の送信先にメールを送信したり、あるいは、予め設定された発信間隔（例えば１０分間など）ごとに、予め設定された所定の発信先に発信することができる。
【０１５８】
また、防犯用報知音の発生や防犯用ライトとしての発光素子２３の発光の停止後に、メール送信を継続するか否かに関するメール送信設定がＯＮに設定されている場合、防犯用報知音の発生や防犯用ライトとしての発光素子２３の発光が停止された後であっても、停止前と同様に、予め設定された送信間隔（例えば５分間など）ごとに、予め設定された所定の送信先にメールを送信したり、あるいは、予め設定された発信間隔（例えば１０分間など）ごとに、予め設定された所定の発信先に発信することができる。
【０１５９】
このとき、防犯用報知音の発生や防犯用ライトとしての発光素子２３の発光の停止後に、メール送信を継続するか否かに関するメール送信設定がＯＦＦに設定されている場合には、防犯用報知音の発生や防犯用ライトとしての発光素子２３の発光が停止された後には、メールの送信処理や発信処理は行われない。
【０１６０】
さらに、メールの送信処理や発信処理の最中に、携帯電話機１の電池残量が所定の基準値よりも小さくなった場合、送信間隔や発信間隔を延長することができる。
【０１６１】
これにより、ユーザによる簡単な操作だけで（複数回の操作をすることなく）、緊急・非常事態発生している最中において、予め設定された送信間隔や発信間隔で繰り返しメールの送信処理や発信処理を実行することができる。従って、携帯電話機１での防犯処理における利便性や操作性を向上させることができる。
【０１６２】
その結果、防犯効果を高めることができる。
【０１６３】
次に、図１１のフローチャートを参照して、図４の携帯電話機１における送信間隔設定処理について説明する。この送信間隔設定処理は、ユーザにより操作キー１４が操作されることにより、送信間隔設定処理を開始するとの指示が受け付けられることで、開始される。
【０１６４】
ステップＳ９１において、主制御部３１は、ユーザにより操作キー１４が操作されることにより、送信間隔設定処理を開始するとの指示が受け付けられたか否かを判定し、ユーザにより操作キー１４が操作されることにより、送信間隔設定処理を開始するとの指示が受け付けられると判定するまで待機する。
【０１６５】
ステップＳ９１において送信間隔処理を開始するとの指示が受け付けられたと判定された場合、主制御部３１はステップＳ９２で、ＬＣＤ制御部３６を制御し、送信間隔の入力を受け付けるための送信間隔入力受付画面を液晶ディスプレイ１７に表示させる。液晶ディスプレイ１７は、ＬＣＤ制御部３６の制御に従い、送信間隔の入力を受け付けるための送信間隔入力受付画面を表示する。
【０１６６】
ステップＳ９３において、主制御部３１は、操作入力制御部３３を介して、ユーザにより操作キー１４が操作されることにより、送信間隔の入力を受け付ける。
【０１６７】
例えば送信間隔として「５分間」などの入力が受け付けられる。
【０１６８】
ステップＳ９４において、主制御部３１は、ユーザにより操作キー１４が操作されることにより、送信間隔設定処理を終了するとの指示が受け付けられたか否かを判定する。
【０１６９】
ステップＳ９４においてユーザにより操作キー１４が操作されることにより、送信間隔設定処理を終了するとの指示が受け付けられていない場合、処理はステップＳ９３に戻り、ステップＳ９３において送信間隔の入力が受け付けられる。
【０１７０】
一方、ユーザにより操作キー１４が操作されることにより、送信間隔設定処理を終了するとの指示が受け付けられた場合、送信間隔設定処理は終了する。
【０１７１】
これにより、緊急・非常事態発生時において、繰り返し送信するメールの送信間隔を、ユーザの好みに応じて設定することができる。
【０１７２】
なお、図１１のフローチャートを用いて説明した送信間隔設定処理においては、緊急・非常事態発生時において送信するメールの送信間隔について設定するようにしたが、これ以外にも、通話のための発信間隔（例えば１０分間など）を設定するようにしてもよい。
【０１７３】
勿論、送信間隔や発信間隔は、それぞれ、好適な間隔を設定することができる。
【０１７４】
なお、緊急・非常事態発生時だけでなく、例えば子供が夜に塾などから帰宅する際に、緊急・非常事態などに巻き込まれないように予め設定された所定の送信先にメールを送信したり、予め設定された発信先に発信するようにしてもよい。これにより、緊急・非常事態が発生する前の段階における防犯効果をより高めることができる。以下、この方法を用いた防犯処理について説明する。
【０１７５】
図１２のフローチャートを参照して、図４の携帯電話機１における防犯処理について説明する。この防犯処理は、ユーザにより例えば緊急用スイッチ２２や操作キー１４が操作されることにより、防犯処理を開始するとの指示が受け付けられることにより、開始される。
【０１７６】
なお、図１２のフローチャートを用いて説明する防犯処理においては、説明を簡略化するために、メールを送信する場合についてのみ説明するが、通話を行うようにする場合についても基本的には同様であり、その説明は繰り返しになるので省略する。
【０１７７】
ステップＳ１０１において、主制御部３１は、ユーザにより例えば緊急用スイッチ２２や操作キー１４が操作されることにより、防犯処理を開始するとの指示が受け付けられたか否かを判定し、ユーザにより例えば緊急用スイッチ２２や操作キー１４が操作されることにより、防犯処理を開始するとの指示が受け付けられると判定するまで待機する。
【０１７８】
ステップＳ１０１においてユーザにより例えば緊急用スイッチ２２や操作キー１４が操作されることにより、防犯処理を開始するとの指示が受け付けられたと判定された場合、主制御部３１はステップＳ１０２で、防犯用報知音発生部５０を制御し、緊急・非常事態発生時における防犯用報知音を発生させる。防犯用報知音発生部５０は、主制御部３１の制御に従い、緊急・非常事態発生時における防犯用報知音を発生する。
【０１７９】
ステップＳ１０３において、主制御部３１は、発光素子２３を制御し、緊急・非常事態発生時における防犯用ライトとしての発光素子２３を、所定の周期で発光させる。発光素子２３は、主制御部３１の制御に従い、緊急・非常事態発生時における防犯用ライトとしての発光素子２３を、所定の周期で発光する。
【０１８０】
なお、ステップＳ１０２とステップＳ１０３の処理は、順番を入れ替えるようにしてもよいし、同時に並列的に処理を実行するようにしてもよい。
【０１８１】
ステップＳ１０４において、主制御部３１は、ＧＰＳ受信部４９を制御し、起動させる。ＧＰＳ受信部４９は、主制御部３１の制御に従い、起動する。ステップＳ１０５において、ＧＰＳ受信部４９は、図示せぬＧＰＳ衛星から、携帯電話機１の現在地を示す位置情報であるＧＰＳ情報を受信する。このＧＰＳ情報には、例えばそれぞれのＧＰＳ衛星からの発信時刻情報が含まれている。
【０１８２】
ＧＰＳ受信部４９は、図示せぬＧＰＳ衛星から受信されたＧＰＳ情報をメインバス４１を介して、主制御部３１に供給する。
【０１８３】
ステップＳ１０６において、主制御部３１は、ＧＰＳ受信部４９から供給されたＧＰＳ情報を取得する。その後、主制御部３１は、取得されたＧＰＳ情報を用いて、携帯電話機１の現在地を示す位置情報（緯度経度の情報）を計算し（例えば３つ乃至４つのＧＰＳ情報から計算することが望ましい）、携帯電話機１の現在地を示す位置情報を取得する。ステップＳ１０７において、主制御部３１は、記憶部４７に予め記憶されているメールを作成するためのメール作成制御情報（例えばメールを作成するためのテキストデータなどが含まれている）を読み出すとともに、読み出されたメール作成制御情報と、取得された位置情報（携帯電話機１の現在地を示すＧＰＳ測位に基づく位置情報）に基づいてメールを作成する。
【０１８４】
ステップＳ１０８において、主制御部３１は、作成されたメール（測位メール）を、変復調回路部３９、送受信回路部４３、およびアンテナ４４を介して、例えば予め設定された送信先である他の携帯電話機１やパーソナルコンピュータ（図示せず）に送信する。
【０１８５】
ステップＳ１０９において、主制御部３１は、ユーザにより操作キー１４が操作されることにより、防犯処理を終了するとの指示が受け付けられたか否かを判定する。
【０１８６】
ステップＳ１０９において防犯処理を終了するとの指示が受け付けられていないと判定された場合、主制御部３１はステップＳ１１０で、予め設定されたメール送信終了時刻、所定の回数、所定の地域のいずれかになったか否かを判定する。
【０１８７】
すなわち、現在の時刻が予め設定されたメール送信終了時刻になったか、予め設定された所定の回数（例えば３回など）以上メールを送信したか、予め設定された所定の地域に入ったか否かが判定される。
【０１８８】
より具体的には、メール送信終了時刻の場合、例えば子供の塾が２１時００分に終了すると予定されており、自宅まで３０分必要とされる場合に、例えば２１時４５分などに設定される。また、所定の回数の場合、メールの送信間隔を例えば１５分ごとにし、例えば子供の塾が２１時００分に終了すると予定されているときに、２１時００分から１５分後とに３回メールを送信するように設定される。なお、所定の地域に入ったか否かについては、ＧＰＳ情報を用いて求められたＧＰＳ測位に基づく位置情報を用いて判定される。
【０１８９】
ステップＳ１１０において予め設定されたメール送信終了時刻、所定の回数、所定の地域のいずれにもなっていないと判定された場合、主制御部３１はステップＳ１１１で、電源回路部３２から供給される電源の残量が予め設定された所定の基準値（例えば３０％など）よりも小さいか否かを判定する。
【０１９０】
ステップＳ１１１において電源回路部３２から供給される電源の残量が予め設定された所定の基準値（例えば３０％など）よりも小さいと判定された場合、主制御部３１はステップＳ１１２で、メール送信を繰り返す送信間隔（時間）を所定の時間（例えば５分間など）だけ延長する。
【０１９１】
ステップ１１１において電源回路部３２から供給される電源の残量が予め設定された所定の基準値（例えば３０％など）よりも大きいと判定された場合、ステップＳ１１２の処理はスキップされ、メール送信を繰り返す送信間隔（時間）は延長されない。
【０１９２】
ステップＳ１１３において、主制御部３１は、内蔵されたタイマを用いて、予め設定された送信間隔（例えば５分間など）が経過したか否かを判定し、予め設定された送信間隔（例えば５分間など）が経過したと判定するまで待機する。なお、ステップＳ１１２の処理により送信間隔が延長された場合には、延長後の送信間隔が経過したか否かが判定される。
【０１９３】
ステップＳ１１３において予め設定された送信間隔（例えば５分間など）が経過したと判定された場合、処理はステップＳ１０５に戻り、その後、ステップＳ１０５以降の処理が繰り返し実行される。これにより、予め設定された送信間隔ごとに、メールが送信先に順次送信される。
【０１９４】
一方、ステップＳ１１０において予め設定されたメール送信終了時刻、所定の回数、所定の地域のいずれかになったと判定された場合、処理はステップＳ１１４に進む。
【０１９５】
また、ステップＳ１０９において防犯処理を終了するとの指示が受け付けられたと判定された場合も、処理はステップＳ１１４に進む。
【０１９６】
ステップＳ１１４において、主制御部３１は、変復調回路部３９、送受信回路部４３、およびアンテナ４４を介して、現在、メールの送信が終了しているか否かを判定し、現在、メールの送信が終了している判定するまで待機する。ステップＳ１１４において現在、メールの送信が終了していると判定された場合、主制御部３１はステップＳ１１５で、防犯用報知音発生部５０による防犯用報知音の発生を停止させ、ステップＳ１１６で、発光素子２３の発光を停止させる。その後、防犯処理は終了する。
【０１９７】
図１２のフローチャートを参照して説明した防犯処理においては、緊急・非常時事態発生時あるいは非緊急・非常事態発生時に、通知としてメールを送信したり、発信したりする際に、予め設定されたメール送信終了時刻や回数、地域などの所定の条件になったか否かを判定し、予め設定されたメール送信終了時刻や回数、地域などの所定の条件になったと判定されるまで、繰り返しメールの送信や発信を行うことができる。また、メールの送信や発信の際には、位置情報（例えばＧＰＳ測位に基づく位置情報）を付加することができる。これにより、簡単な操作で、位置情報を付加した通知を繰り返し実行することができ、簡単に防犯効果をより高めることができる。
【０１９８】
なお、ＧＰＳ受信部４９により受信されたＧＰＳ情報を用いて求められる位置情報（ＧＰＳ測位に基づく位置情報）において差が少ない場合には、メールを作成しないようしてもよい。また、メールは作成し送信するが、ＧＰＳ測位に基づく位置情報の履歴の保存方法を簡易的にしてもよいし、圧縮して保存するようにしてもよい。さらに、繰り返しのメール送信処理や発信処理は、例えばユーザにより操作キー１４が操作されることにより終了される。このとき、通知機能（メールの送信や発信）の終了操作において暗証番号の入力受付処理などを実行するようにしてもよい。これにより、犯罪者などに意図的にメール送信などを中止されることを防止することができ、防犯効果をより高めることができる。
【０１９９】
なお、図１２のフローチャートを参照して説明した防犯処理においては、ユーザにより例えば緊急スイッチ２４などが操作されることで、防犯処理を開始するとの指示がなされることにより、開始するようにしたが、このような場合に限られず、例えば予め設定された所定の開始時刻（例えば２１時００分など）になったとき、所定の場所（例えば所定の駅付近）に入ったときなどにトリガとして開始するようにしてもよいし、光センサ（図示せず）により検知される光量を用いて周囲が暗くなったと検知されたときに開始するようにしてもよいし、マイクロフォン１５により大きな音を集音したとき開始するようにしてもよい。なお、これらを「通知開始条件」と定義する。
【０２００】
また、図１２のフローチャートを参照して説明した防犯処理においては、防犯用報知音や発光を同時に行うようにしたが、このような場合に限られず、防犯用報知音や発光を同時に行わないようにしてもよい。これにより、敢えて防犯用報知音や発光を同時に行う必要がないような場合（非緊急・非常事態発生時）においても、未然に、防犯効果を高めることができる。
【０２０１】
なお、メール送信終了時刻や回数、地域などの所定の条件の設定処理は、ユーザにより操作キー１４が操作されることで、条件設定処理を開始すると指示がなされたときに開始され、例えば送信終了時刻や送信回数、送信間隔などの入力や選択が受け付けられる。そして、受け付けられた例えば送信終了時刻や送信回数、送信間隔などの入力や選択に基づいて、これらの条件が設定される。なお、これらの条件を「通知終了条件」と定義する。
【０２０２】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０２０３】
また、本発明の実施形態において説明した一連の処理は、ソフトウェアにより実行させることもできるが、ハードウェアにより実行させることもできる。
【０２０４】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２０５】
【図１】本発明に係る情報処理装置に適用可能な携帯電話機の外観の構成を示す外観図。
【図２】本発明に係る情報処理装置に適用可能な携帯電話機の他の外観の構成を示す外観図。
【図３】本発明に係る情報処理装置に適用可能な携帯電話機の他の外観の構成を示す外観図。
【図４】本発明に係る情報処理装置に適用可能な携帯電話機の内部の構成を示すブロック図。
【図５】図４の携帯電話機における防犯処理を説明するフローチャート。
【図６】図４の記憶部に予め記憶されている発信先リストの構成例を示す図。
【図７】図４の携帯電話機における他の防犯処理を説明するフローチャート。
【図８】図４の記憶部に予め記憶されている発信先リストの構成例を示す図。
【図９】図４の携帯電話機における送信メッセージ設定処理を説明するフローチャート。
【図１０】図４の携帯電話機における他の防犯処理を説明するフローチャート。
【図１１】図４の携帯電話きにおける送信間隔処理を説明するフローチャート。
【図１２】図４の携帯電話機における他の防犯処理を説明するフローチャート。
【符号の説明】
【０２０６】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…緊急用スイッチ、２３…発光素子、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４９…ＧＰＳ受信部、５０…防犯用報知音発生部、５１…バックアップ電源部。
【図１】
2008172454.tif 000003
【図２】
2008172454.tif 000004
【図３】
2008172454.tif 000005
【図４】
2008172454.tif 000006
【図５】
2008172454.tif 000007
【図６】
2008172454.tif 000008
【図７】
2008172454.tif 000009
【図８】
2008172454.tif 000010
【図９】
2008172454.tif 000011
【図１０】
2008172454.tif 000012
【図１１】
2008172454.tif 000013
【図１２】
2008172454.tif 000014